(57)【要約】【課題】視聴者が視聴中の番組を変えることなく、視聴していない番組の字幕を確認できるようにすること。【解決手段】割り当てられた周波数帯域に複数の放送信号を含む放送波を受信するアンテナ１３を備えた受信装置１において、アンテナ１３により受信された放送波に含まれる複数の放送信号の中から、所定の放送信号を選択する多重分離部１６と、多重分離部１６によりサービス１が選択された場合、当該選択されたサービス１に含まれる映像データに基づいて、映像を形成する画像処理部１７と、画像処理部１７により形成された映像を表示する表示部１８と、多重分離部１６によりサービス１と異なるサービス２が選択された場合、当該選択されたサービス２に含まれる字幕データに基づいて、字幕を形成させ、当該形成された字幕を映像に合成させ、当該合成された合成画像を表示部１８に表示させる制御部１１と、を備える。【選択図】図１
2009201051.tif 000002
【特許請求の範囲】
【請求項１】
割り当てられた周波数帯域に複数の放送信号を含む放送波を受信する受信部を備えた受信装置において、
前記受信部により受信された放送波に含まれる複数の放送信号の中から、所定の放送信号を選択する選択部と、
前記選択部により第１の放送信号が選択された場合、当該選択された第１の放送信号に含まれる映像データに基づいて、映像を形成する画像処理部と、
前記画像処理部により形成された映像を表示する表示部と、
前記選択部により前記第１の放送信号と異なる第２の放送信号が選択された場合、当該選択された第２の放送信号に含まれる字幕データに基づいて、字幕を形成させ、当該形成された字幕を前記映像に合成させ、当該合成された合成画像を前記表示部に表示させる制御部と、
を備える受信装置。
【請求項２】
前記第２の放送信号の選択操作を受け付ける操作部を備える請求項１に記載の受信装置。
【請求項３】
割り当てられた周波数帯域に複数の放送信号を含む放送波を受信する受信部の受信方法において、
前記受信部により受信された放送波に含まれる複数の放送信号の中から、所定の放送信号を選択する選択工程と、
前記選択工程により第１の放送信号が選択された場合、当該選択された第１の放送信号に含まれる映像データに基づいて、映像を形成する画像処理工程と、
前記画像処理工程により形成された映像を表示部に表示する表示工程と、
前記選択工程により前記第１の放送信号と異なる第２の放送信号が選択された場合、当該選択された第２の放送信号に含まれる字幕データに基づいて、字幕を形成させ、当該形成された字幕を前記映像に合成させ、当該合成された合成画像を前記表示部に表示させる制御工程と、
を含む受信方法。
【請求項４】
割り当てられた周波数帯域に複数の放送信号を含む放送波を受信する受信部を備えた受信装置のコンピュータを、
前記受信部により受信された放送波に含まれる複数の放送信号の中から、所定の放送信号を選択する選択部、
前記選択部により第１の放送信号が選択された場合、当該選択された第１の放送信号に含まれる映像データに基づいて、映像を形成する画像処理部、
前記画像処理部により形成された映像を表示する表示部、
前記選択部により前記第１の放送信号と異なる第２の放送信号が選択された場合、当該選択された第２の放送信号に含まれる字幕データに基づいて、字幕を形成させ、当該形成された字幕を前記映像に合成させ、当該合成された合成画像を前記表示部に表示させる制御部、
として機能させるための受信プログラム。                                
【発明の詳細な説明】
【技術分野】
【０００１】
本発明は、受信装置、受信方法、及び受信プログラムに関する
【背景技術】
【０００２】
従来より、携帯端末に対応したデジタルテレビ規格であるＤＶＢ−Ｈ（Digital Video Broadcasting  Handheld）の放送波を受信する受信装置が知られている。  
【０００３】
図５に、ＤＶＢ−Ｈの放送波の一例を示す。図５に示すＤＶＢ−Ｈの放送波（以下、放送波）は、割り当てられた周波数帯域に複数の放送信号を含む放送波を示している。具体的には、図５に示す放送波は、割り当てられた任意の周波数帯域の中に、複数の放送信号（Ｓｅｒｖｉｃｅ１，２，３，４）を含んだ放送波が放送局から送信（提供）されていることを示している。Ｓｅｒｖｉｃｅ１，２，３，４（サービス１〜４）は、それぞれ、放送チャンネルの番組データ（映像データ、音声データ、及び字幕データ）を含む信号を示す。例えば、サービス１は、チャンネル１の番組データを含む信号を示す。放送局からサービス１〜４を含む放送波が送信されることにより、視聴者は、サービス１〜４の各番組を視聴することができる。
【０００４】
次に、複数の放送信号（サービス１〜４）がパケット形式で送信される一例を示す。図６に、サービス１〜４を含むパケット１、パケット２が時分割多重された放送波の例を示す。この場合、図６に示すように、先ず、時刻ｔ１において、サービス１〜４を含むパケット１の送信が開始される。そして、時刻ｔ２において、サービス１〜４を含むパケット２の送信が開始される。そして、時刻ｔ２の数秒後、同様の動作が行われる。すなわち、サービス１〜４を含むパケットが数秒の周期で繰り返し送信される。
【０００５】
次に、図７に受信装置がサービス１のみを受信する場合の従来の方法を示す。この場合、受信装置は、サービス１の受信時のみ動作する（電源ＯＮとなる）。また、サービス１の受信時以外（すなわち、サービス２〜４の受信時）は、受信装置は動作しない（電源はＯＦＦとなる）。すなわち、サービス１の受信時のみ受信装置を動作させてサービス１の番組の視聴が行われる。
【０００６】
次に、図８に放送信号（サービス）のデータ構造例を示す。図８に、放送信号（サービス）がＭＰＥＧ２（Moving  Picture  Experts  Group  Phase2）―ＴＳ（Transport  Stream）方式により多重化されているデータを示す。ＭＰＥＧ２―ＴＳは、ＴＳ  ＨＥＡＤＥＲと、ＴＳ  ＰＡＹＬＯＡＤと、を含む。ＴＳ  ＨＥＡＤＥＲには、視聴者が希望するＴＳＰ（Transport  Stream Packet）が取り出せるようにＩＤが含まれている。ＴＳ  ＰＡＹＬＯＡＤは、ＭＰＥ（Multi Protocol Encapsulation）と、ＩＰ（Internet Protocol）と、ＵＤＰ（User Datagram Protocol）と、ＲＴＰ（Real-time Transport Protocol）と、を含む。
【０００７】
図８に示す放送信号（サービス）のデータ構造に従って、受信装置の復調部（図示省略）によりサービスのデータの取り出しが行われる。具体的には、ＭＰＥＧ２−ＴＳの中からＴＳ  ＰＡＹＬＯＡＤ、さらに、ＭＰＥ、ＭＰＥのＤＡＴＡ（データ）、ＩＰ、ＩＰのＤＡＴＡ（データ）、ＵＤＰ、ＵＤＰのＤＡＴＡ（データ）、ＲＴＰのＤＡＴＡ（データ）が取り出される。そして、最終的には、ＲＴＰのデータからＶＩＤＥＯデータ（映像データ）、ＡＵＤＩＯデータ（音声データ）、字幕データが取り出される。そして、取り出された映像データ、音声データ、字幕データが復号化される。そして、図９に示すように、Ｓｅｒｖｉｃｅ１（サービス１）の映像及び字幕が受信装置の表示部に表示される。
【０００８】
また、視聴者が視聴中の番組を変えることなく、簡単な操作で任意のデジタル放送の番組情報の閲覧を可能とするデジタル放送受信装置も知られている（例えば、特許文献１参照）。
【特許文献１】特開２００７−１８１２３７号公報
【発明の開示】
【発明が解決しようとする課題】
【０００９】
しかしながら、上述の技術の場合、視聴者が視聴中の番組を変えることなく、視聴していない番組の字幕を確認することはできなかった。
例えば、いま、視聴者がサービス１の番組を視聴している場合、視聴中のサービス１の番組を変えることなく（サービス１の番組の視聴を中断することなく）、サービス２の番組の字幕を確認したい要望があったとする。この場合、視聴者は、サービス１の番組の視聴を諦めてチャンネルを切り替えるか（すなわち、サービス１の番組からサービス２の番組に切り替えるか）、又はサービス１の番組の視聴を続けるしかなかった。
【００１０】
また、特許文献１の技術は、現在視聴している番組の視聴を中断することなく、視聴していない番組の番組情報（番組名、番組の放送時間）を提示する技術である。しかし、視聴者が視聴中の番組を変えることなく、視聴していない番組の字幕を確認することはできなかった。
【００１１】
本発明の課題は、視聴者が視聴中の番組を変えることなく、視聴していない番組の字幕を確認できるようにすることである。
【課題を解決するための手段】
【００１２】
上記課題を解決するため、請求項１に記載の発明の受信装置は、
割り当てられた周波数帯域に複数の放送信号を含む放送波を受信する受信部を備えた受信装置において、
前記受信部により受信された放送波に含まれる複数の放送信号の中から、所定の放送信号を選択する選択部と、
前記選択部により第１の放送信号が選択された場合、当該選択された第１の放送信号に含まれる映像データに基づいて、映像を形成する画像処理部と、
前記画像処理部により形成された映像を表示する表示部と、
前記選択部により前記第１の放送信号と異なる第２の放送信号が選択された場合、当該選択された第２の放送信号に含まれる字幕データに基づいて、字幕を形成させ、当該形成された字幕を前記映像に合成させ、当該合成された合成画像を前記表示部に表示させる制御部と、を備える
【００１３】
請求項２に記載の発明は、請求項１に記載の受信装置において、
前記第２の放送信号の選択操作を受け付ける操作部を備える。
【００１４】
請求項３に記載の発明の受信方法は、
割り当てられた周波数帯域に複数の放送信号を含む放送波を受信する受信部の受信方法において、
前記受信部により受信された放送波に含まれる複数の放送信号の中から、所定の放送信号を選択する選択工程と、
前記選択工程により第１の放送信号が選択された場合、当該選択された第１の放送信号に含まれる映像データに基づいて、映像を形成する画像処理工程と、
前記画像処理工程により形成された映像を表示部に表示する表示工程と、
前記選択工程により前記第１の放送信号と異なる第２の放送信号が選択された場合、当該選択された第２の放送信号に含まれる字幕データに基づいて、字幕を形成させ、当該形成された字幕を前記映像に合成させ、当該合成された合成画像を前記表示部に表示させる制御工程と、を含む。
【００１５】
請求項４に記載の発明の受信プログラムは、
割り当てられた周波数帯域に複数の放送信号を含む放送波を受信する受信部を備えた受信装置のコンピュータを、
前記受信部により受信された放送波に含まれる複数の放送信号の中から、所定の放送信号を選択する選択部、
前記選択部により第１の放送信号が選択された場合、当該選択された第１の放送信号に含まれる映像データに基づいて、映像を形成する画像処理部、
前記画像処理部により形成された映像を表示する表示部、
前記選択部により前記第１の放送信号と異なる第２の放送信号が選択された場合、当該選択された第２の放送信号に含まれる字幕データに基づいて、字幕を形成させ、当該形成された字幕を前記映像に合成させ、当該合成された合成画像を前記表示部に表示させる制御部、として機能させる。  
【発明の効果】
【００１６】
本発明によれば、視聴者が番組の視聴を中断することなく、視聴していない番組の字幕を確認することができる。
【発明を実施するための最良の形態】
【００１７】
以下、添付図面を参照して本発明に係る実施の形態を詳細に説明する。ただし、発明の範囲は、図示例に限定されない。
【００１８】
先ず、図１を参照して受信装置１の装置構成について説明する。受信装置１は、ＤＶＢ−Ｈの放送波を受信するモバイル型の受信装置である。受信装置１は、制御部１１と、キー操作部１２と、受信部としてのアンテナ１３と、チューナ１４と、復調部１５と、選択部としての多重分離部１６と、画像処理部１７と、表示部１８と、音声処理部１９と、スピーカー２０と、を備えて構成される。
【００１９】
制御部１１は、ＣＰＵ（Central  Processing  Unit）と、ＲＯＭ（Read  Only  Memory）と、ＲＡＭ（Random  Access  Memory）と（以上、図示省略）、を備える。ＣＰＵは、受信装置１の各部を中央制御する。ＲＯＭは、情報を読み出し可能なメモリであり、特に、後述する字幕データ表示プログラムを記憶する。ＲＡＭは、格納する揮発性のメモリであり、各種プログラム及び各種データを展開するワークエリアを有する。
【００２０】
制御部１１は、ＲＯＭに記憶されているシステムプログラム及び各種アプリケーションプログラムの中から指定されたプログラムやＲＡＭに記憶されたデータを読み出して当該ＲＡＭに展開し、ＲＡＭに展開されたプログラムやデータとＣＰＵとの協働で、各種処理を実行する。
【００２１】
制御部１１は、字幕データ表示プログラムとの協働により、チューナ１４により第１の放送信号と異なる第２の放送信号が選択された場合、当該選択された第２の放送信号に含まれる字幕データに基づいて、字幕を形成させ、当該形成された字幕を映像に合成させ、当該合成された合成画像を表示部１８に表示させる。
具体的には、制御部１１は、第２の放送信号に含まれる字幕データに基づいて、画像処理部１７に字幕を形成させる。そして、制御部１１は、形成された字幕を映像に画像処理部１７により合成させ、当該合成された合成画像を表示部１８に表示させる。ここで、映像とは、表示部１８に現在表示されている映像のことをいう。
また、放送信号とは、放送局から送信されてきた信号のことをいい、後述するＳｅｒｖｉｃｅ（サービス）に該当する。放送信号（以下、サービス）は、上述の図８に示すデータ構造を有する。したがって、サービスは、チャンネルで放送される番組の番組データ（映像データ、音声データ、字幕データ）を含む。これにより、サービスに含まれる番組データに基づいて、チャンネルで放送される番組の映像又は字幕が形成され、形成された映像又は字幕が表示部１８に表示される。また、第１の放送信号は、後述するサービス１、第２の放送信号は、後述するサービス２に該当する。
また、合成画像とは、映像データに基づいて形成された映像と、字幕データに基づいて形成された字幕との合成画像のことをいう。
【００２２】
キー操作部１２は、例えば、各種の操作信号を入力するための各種のキー等を備え、視聴者により操作されることによって、各種の操作信号を制御部１１に出力する。
【００２３】
アンテナ１３は、ＤＶＢ−Ｈの放送波（以下、放送波）を受信する。具体的には、アンテナ１３は、割り当てられた周波数帯域に複数の放送信号を含む放送波を受信する。ここで、当該放送波は、図５及び図６で説明した放送波に該当する。そして、受信した放送波のＲＦ（Radio  Frequency）信号をチューナ１４に出力する。
【００２４】
チューナ１４は、それぞれミキサ，選局回路（いずれも図示省略）等を備えて構成される。具体的には、チューナ１４は、アンテナ１３から入力された放送波のＲＦ信号をＩＦ（Intermediate Frequency）信号に変換する。そして、変換されたＩＦ信号を復調部１５に出力する。
【００２５】
復調部１５は、チューナ１４から入力されたＩＦ信号に復調処理等を行う。具体的には、復調部１５は、チューナ１４から入力されたＩＦ信号をＡ／Ｄ変換回路によりデジタルデータに変換し、送信時に適用された変調方式に従いＦＦＴ（Fast Fourier transform）等の信号処理を行い、エラー訂正を行う。そして、エラー訂正されたデータから図８に示すサービスのデータ構造に従ってＭＰＥＧ２ ＴＳ、ＭＰＥデータ、ＩＰデータを取り出し復調部１５に出力する。
【００２６】
多重分離部１６は、復調部１５から入力された複数のサービスが含まれるＩＰデータから図８に示すサービスのデータ構造に従って、ＲＴＰデータを取り出し、ＲＴＰデータから映像データ、音声データ、字幕データの取り出し（すなわち、復調部１５から入力された復調信号から映像データ、音声データ、字幕データの分離）を行う。具体的には、多重分離部１６は、復調部１５から入力された復調信号から映像データの分離を行う。すなわち、ＲＴＰデータの中から映像データを分離する。また、多重分離部１６は、復調部１５から入力された復調信号から音声データの分離を行う。すなわち、ＲＴＰデータの中から音声データを分離する。また、多重分離部１６は、復調部１５から入力された復調信号から字幕データの分離を行う。すなわち、ＲＴＰデータの中から字幕データを分離する。分離された映像データ及び字幕データは、画像処理部１７に出力される。また、分離された音声データは、音声処理部１９に出力される。
【００２７】
画像処理部１７は、多重分離部１６から入力された映像データを復号して映像を形成し、当該形成された映像を表示部１８に出力する。また、画像処理部１７は、多重分離部１６から入力された字幕データを復号して字幕を形成する。そして、形成された字幕を表示部１８に現在表示されている映像にインポーズ（合成）し、合成された合成映像を表示部１８に出力する。
【００２８】
表示部１８は、例えば、ＬＣＤ（Liquid  Crystal  Display）やＰＤＰ（Plasma Display  Panel）等を備えて構成され、画像処理部１７から出力された映像又は合成映像を表示する。
【００２９】
音声処理部１９は、多重分離部１６から入力された音声データに基づいて、音声を生成する。生成された音声は、スピーカー２０に出力される。スピーカー２０は、音声処理部１９から出力された音声を出力する。
【００３０】
次に、図２を参照して、複数の放送信号を含むパケットが時分割多重された放送波を受信する一例を説明する。図２は、パケット１、パケット２が時分割多重された放送波を受信する例を示した図である。図２の場合、先ず、時刻ｔ１において、サービス１〜４を含むパケット１の送信が開始される。このとき、各サービスは、サービス１、サービス２、サービス３、サービス４の順番で送信される。ここで、受信装置１は、サービス１及びサービス２の受信時のみ動作する（電源ＯＮとなる）。そして、サービス３及びサービス４の受信時は動作しない（電源ＯＦＦとなる）。すなわち、受信装置１は、サービス１及びサービス２を受信する。そして、時刻ｔ２において、サービス１〜４を含むパケット２の送信が開始される。このとき、受信装置１は、パケット１の受信時と同様に、サービス１及びサービス２の受信時のみ動作し、サービス３及びサービス４の受信時は動作しない。そして、時刻ｔ２の数秒後、同様の動作が行われる。
なお、本実施の形態では、受信装置１は、サービス１とサービス２との受信時のみ動作することとして説明するが、例えば、サービス１とサービス３との受信時といった別の組み合わせ時や、全てのサービスを受信時に動作することとしてもよい。
【００３１】
次に、図３を参照して、視聴者が現在視聴している番組の映像に、異なる番組の字幕をインポーズ（合成）して、合成された合成画像が表示部１８に表示される例について説明する。図３に表示画面３１を示す。表示画面３１は、図２に示す放送波を受信した場合（サービス１及びサービス２を受信した場合）において、サービス１の番組の映像にサービス２の字幕を合成して、合成された画像が表示部１８に表示されたときの画面である。表示画面３１は、映像表示部３２と、字幕表示部３３と、を含む。映像表示部３２は、サービス１の番組の映像を表示する。字幕表示部３３は、サービス２の番組の字幕を表示する。これにより、例えば、視聴者がサービス１の番組を視聴中であっても、サービス１の番組を変えることなく、裏番組であるサービス２の番組の字幕を確認することができる。
【００３２】
次に、図４を参照して、受信装置１の制御部１１で実行される字幕表示処理を説明する。字幕表示処理は、サービス１の番組の映像にサービス２の番組の字幕を合成し、合成された画像を表示部１８に表示する処理である。
【００３３】
例えば、視聴者によりキー操作部１２を介して字幕表示処理の実行指示の入力がされたこと等をトリガとして、ＲＯＭから読み出されて適宜ＲＡＭに展開された字幕表示プログラムと、ＣＰＵとの協働により字幕表示処理が実行される。
【００３４】
先ず、受信中のサービスの映像が表示部１８に表示される（ステップＳ１１）。例えば、アンテナ１３によりサービス１が受信されている場合、チューナ１４によりサービス１が選択される。そして、復調部１５により復調処理等が行われ、多重分離部１６によりサービス１の映像データの分離が行われる。そして、画像処理部１７によりサービス１の映像が形成され、形成された映像が表示部１８に表示される。
【００３５】
ステップＳ１１の実行後、ストリームから字幕データが検索される（ステップＳ１２）。具体的には、ストリーム（放送波に含まれるサービス１及びサービス２のＲＴＰデータ）が参照され、参照されたサービス１及びサービス２のＲＴＰデータから字幕データの検索が行われる。
【００３６】
ステップＳ１２の実行後、字幕表示ＯＮ／ＯＦＦ操作の受け付けが行われたか否かが判別される（ステップＳ１３）。具体的には、キー操作部１２を介して字幕を表示部１８に表示するか否かの設定操作が受け付けられたか否かが判別される。
【００３７】
ステップＳ１２において、字幕表示ＯＮ／ＯＦＦ操作の受付が行われていないと判別された場合（ステップＳ１２；ＯＦＦ）、字幕表示処理は終了される。ステップＳ１２において、字幕表示ＯＮ／ＯＦＦ操作の受付が行われたと判別された場合（ステップＳ１２；ＯＮ）、字幕を表示したいサービスを選択する操作が受け付けられる（ステップＳ１４）。例えば、視聴者がサービス２の番組の字幕を表示したい場合、キー操作部１２を介してサービス２の番組の字幕を表示する旨（すなわち、サービス２を選択する旨）の操作が受け付けられる。
【００３８】
ステップＳ１４の実行後、選択されたサービスには字幕データがあるか否かが判別される（ステップＳ１５）。例えば、ステップＳ１４において、サービス２の選択操作が受け付けられた場合、ステップＳ１２において検索された字幕データの結果に基づいて、サービス２には字幕データがあるか否かが判別される（ステップＳ１５）。
【００３９】
ステップＳ１５において、選択されたサービスには字幕データがないと判別された場合（ステップＳ１５；ＹＥＳ）、字幕表示処理は終了される。ステップＳ１５において、選択されたサービスには字幕データがあると判別された場合（ステップＳ１５；ＮＯ）、選択されたサービスの字幕データがデコードされ、デコードされた字幕データが映像にインポーズ表示される（ステップＳ１６）。具体的には、視聴者により選択されたサービス２がチューナ１４により選択される。そして、復調部１５により復調処理等が行われ、多重分離部１６によりサービス２の字幕データの分離が行われる。そして、画像処理部１７によりサービス２の字幕信号がデコード（復号）されて字幕が形成され、形成された字幕がサービス１の映像にインポーズ（合成）される。そして、合成された映像が表示部１８に表示される。ステップＳ１６の実行後、字幕表示処理は終了される。
【００４０】
以上、本実施の形態によれば、表示部１８に現在表示されている映像の映像データを含むサービス１と異なるサービス２がチューナ１４により選択された場合、当該選択されたサービス２に含まれる字幕データに基づいて字幕を形成させ、当該形成された字幕を映像に合成させ、当該合成された合成画像を表示部１８に表示させる。これにより、視聴者は、サービス１の番組の映像を視聴しながら、サービス２の番組の字幕を確認することができる。すなわち、視聴者が視聴中の番組を変えることなく、視聴していない番組の字幕を確認することができる。したがって、例えば、視聴していない番組が字幕を見れば内容がわかる番組（例えば、ニュース番組等）の場合、視聴者は、映像を見なくてもよいので、視聴中の番組を変えることなくニュース番組等の視聴ができる。また、視聴していない番組の字幕を参照できるので、チャンネルの切り替えを行う手間を省くことができる。
【００４１】
また、視聴者は、キー操作部１２を介して字幕を表示したいサービス（サービス２）を選択操作することができる。これにより、現在視聴中の番組を見ながら字幕表示を切り替えることができ、視聴していない番組の情報を次々に知ることができる。
【００４２】
なお、上記実施の形態における記述は、本発明に係る受信装置、受信方法、受信プログラムの一例であり、これに限定されるものではない。
【００４３】
例えば、上記実施の形態において、受信中のサービス１の番組の映像にサービス２の番組の字幕を合成させて、合成画像を表示部１８に表示させることとしたがこれに限定されるものではない。例えば、予め、サービス１及びサービス２を記憶部（図示省略）に記憶しておき、当該記憶部からサービス１及びサービス２を読み出すこととしてもよい。この場合、読み出されたサービス１及びサービス２に基づいて、サービス１の番組の映像とサービス２の番組の字幕とが合成され、合成された合成画像が表示部１８に表示される。
【００４４】
また、受信装置１は、モバイル型の受信装置としたがこれに限定されるものではない。例えば、受信装置１をカーナビゲーションに適用することととしてもよい。
【００４５】
その他、上記実施の形態における受信装置１の細部構成及び詳細動作に関しても、本発明の趣旨を逸脱しない範囲で適宜変更可能である。
【図面の簡単な説明】
【００４６】
【図１】本発明に係る受信装置の構成図である。
【図２】時分割されたサービス１及びサービス２を任意の周波数帯域に含む放送波が放送局から送信されることを示す図である。
【図３】サービス１の番組の映像にサービス２の番組の字幕を合成して合成された画像が表示部に表示されたときの画面を示す図である。
【図４】字幕表示処理を示すフローチャートである。
【図５】放送局から送信される放送波を示す図である。
【図６】時分割された複数のサービス１〜４を任意の周波数帯域に含む放送波が放送局から送信されることを示す図である。
【図７】サービス１のみを受信する従来の方法を示す図である。
【図８】放送信号のデータ構造を示す図である。
【図９】サービス１の番組の映像及び字幕を表示する表示画面を示す図である。
【符号の説明】
【００４７】
１     受信装置
１１   制御部
１２   キー操作部
１３   アンテナ
１４   チューナ
１５   復調部
１６   多重分離部
１７   画像処理部
１８   表示部
１９   音声処理部
２０   スピーカー
【図１】
2009201051.tif 000003
【図２】
2009201051.tif 000004
【図３】
2009201051.tif 000005
【図４】
2009201051.tif 000006
【図５】
2009201051.tif 000007
【図６】
2009201051.tif 000008
【図７】
2009201051.tif 000009
【図８】
2009201051.tif 000010
【図９】
2009201051.tif 000011